Podtech/llm-jp-corpus-v4-ja_patent huggingface dataset:
(57)【要約】      （修正有）【課題】イビキが大きい人や無呼吸障害の人が、横寝睡眠することで症状を緩和できることに着目した横寝睡眠が長く楽に出来る体形順応枕を提供する。【解決手段】肩口に集中する荷重をわき腹に逃がせるよう、肩口が載る部分に他の緩衝材より柔軟な低反発材を組み合わせた。通常、敷布団の上に枕を置いて横向きに寝ると、肩こりや腕のしびれなどが発生することがある。枕部１と高さ調整傾斜板３の間に、他の部分の緩衝材より柔軟な低反発材２を組み込むことにより、肩口の形状に沿って低反発材２の部分のみが大きく沈み込み、頭部、肩口、わき腹の３点で平均的に荷重を受けるようにした横寝時の肩こりを防ぐ枕である。睡眠するときは低反発材２の部分に肩口をあてがい、横寝状態になることにより普通の枕を使用したときに比べ、肩口に強くかかっていた身体の荷重をわき腹方向に分散するので、長時間横向きに寝ても肩こりや筋肉痛が発生しにくく安眠できる。【選択図】図１
0003168726.tif 000002
【実用新案登録請求の範囲】
【請求項１】
肩口が接する枕部と斜板の継ぎ部分に、他の緩衝材に比べ大きく沈み込む低反発材を組み込み、肩口にかかる圧力を軽減した体形順応型横寝睡眠専用枕。
【考案の詳細な説明】
【０００１】この発明はイビキが大きい人や無呼吸障害の人が、横寝睡眠することで症状を緩和できることに着目した横寝睡眠が長く楽に出来る体形順応枕に関するものである。
【背景技術】
【０００２】最近の医学の進歩によって、睡眠時無呼吸症候群が人体に重大なダメージを与えることが解明されてきた。側臥睡眠することによって症状が緩和されることは解明されているが、肩口を圧迫したまま横向き睡眠状態が長くなると、肩こりや腕の筋肉痛が起き、長時間横向き睡眠状態を持続することが困難であった。
【考案の開示】
【考案が解決しようとする課題】
【０００３】横寝状態で睡眠することにより、口腔内の舌根が自重で垂れ下がり気道を狭くすることを防ぎ睡眠時無呼吸障害やイビキを軽減できることは証明されている。横寝睡眠に適した専用の枕がこれまであまり普及していなかった。
（イ）従来の枕は横向きに寝ると、肩口を圧迫するので肩こりや腕の痛みを起こし長時間の横寝睡眠に耐えられない構造になっており、頻繁な寝返りの原因となっている。
本発明は、以上のような欠点をなくすためになされたものである。
【課題を解決するための手段】
【０００４】（イ）枕と傾斜板を一体化し、肩口の当たる部分に柔軟な低反発材を使用することにより、この部分が大きく沈み込むことで肩口に集中していた荷重をわき腹方向分散し、頭部、肩口、わき腹の３点で平均的に荷重を受け止め、肩口に集中していた荷重を分散し肩こりを防ぐものである。
本発明は、以上の構成よりなる横寝専用体形順応枕である。
【図１】
0003168726.tif 000003
【図２】
0003168726.tif 000004
【図３】
0003168726.tif 000005
【図４】
0003168726.tif 000006
【手続補正書】
【提出日】平成23年5月3日(2011.5.3)
【手続補正１】
【補正対象書類名】明細書
【補正対象項目名】全文
【補正方法】変更
【補正の内容】
【考案の詳細な説明】
【０００１】この発明はイビキが大きい人や無呼吸障害の人が、横寝睡眠することで症状を緩和できることに着目した横寝睡眠が長く楽に出来る肩口を圧迫しない体形順応枕に関するものである。
【背景技術】
【０００２】最近の医学の進歩によって、睡眠時無呼吸症候群が人体に重大なダメージを与えることが解明されてきた。側臥睡眠することによって症状が緩和されることは解明されているが、肩口を圧迫したまま横向き睡眠状態が長くなると、肩こりや腕の筋肉痛が起き、長時間横向き睡眠状態を持続することが困難であった。
【考案の開示】
【考案が解決しようとする課題】
【０００３】横寝状態で睡眠することにより、口腔内の舌根が自重で垂れ下がり気道を狭くすることを防ぎ睡眠時無呼吸障害やイビキを軽減できることは証明されている。横寝睡眠に適した専用の枕がこれまであまり普及していなかった。
（イ）従来の枕では横向きに寝ると、枕と敷布団の関係で肩口を圧迫するので肩こりや腕の痛みを起こし長時間の横寝睡眠に耐えられない構造になっており、頻繁な寝返りや自然に上向き寝になって無呼吸の原因となっている。
本発明は、以上のような欠点をなくすためになされたものである。
【課題を解決するための手段】
【０００４】（イ）枕と傾斜板を一体化し、肩口の当たる部分にのみ柔軟な低反発材を使用することにより、この部分が大きく沈み込むことで肩口に集中していた荷重を下方のわき腹に分散し、頭部、肩口、わき腹の３点で平均的に体重を受け止め横寝睡眠時に肩口に集中していた体重を分散し肩こりを防ぐものである。
本発明は、以上の構成よりなる横寝専用体形順応枕である。
【考案の効果】
【０００５】仰向きに睡眠すると舌根が垂れ下がり気道を塞ぎ、大イビキや無呼吸症の原因になっている。横向きに睡眠することで症状が緩和されることが医学的に証明されている。しかし横向きに寝ると枕と敷き布団の位置関係により体側より外に出ている肩口が圧迫され、肩が凝ったり首の痛みが発生し、長時間の横寝ができない。この肩口が接触する部分のみが大きく沈下する枕は、肩口にかかる体圧を減らし、わき腹などに分散するので横向きに寝たときに起こる肩こりや首の張りを防ぎ、長時間の横寝睡眠に耐えられる。
【考案を実施するための最良の状態】
【０００６】以下、本考案の実施例について説明する。
本発明品を使用するときは敷き布団の上に枕部（１）と傾斜板（３）を広げ、体の腰部から上を本発明品である枕の上に横向きに横たわって睡眠する構造となっている。
枕（１）と傾斜版（３）を繋ぐ凹部幅調整ベルト（４）は体形に合わせて低反発素材部（２）の幅を調節できるよう設けている。結合部分で折りたたむことができ図３のようにコンパクトに収納できる。
【図面の簡単な説明】
【０００７】
【図１】  本考案の側面斜視図である。
【図２】  本考案の平面図である。
【図３】  本考案の収納図である。
【図４】  本考案の使用中の側面図である。
【符号の説明】
【０００８】１  枕部
２  低反発素材部
３  傾斜板
４  凹部幅調整ベルト
(57)【要約】      （修正有）【課題】患者をベッド上で座るような姿勢にして、ベッド上で楽に頭髪のカットが出来るようにしたカット補助台を提供する。【解決手段】補助台本体と背もたれの勾配が変えられる背もたれ２から構成され、背もたれを支える背もたれ棒と補助台本体の底部に複数のストッパー３ａ、３ｂ、３ｃが備えられ、背もたれの左右にのびる棒を備え、その棒を包む枕棒固定具５により枕棒４が上下にスライド出来ることを特徴としてベッド専用カット補助台を構成する。【選択図】図１
0003168728.tif 000002
【実用新案登録請求の範囲】
【請求項１】
補助台本体と、背もたれの勾配が変えられ、枕棒がスライド出来るベッド専用カット補助台である。
【考案の詳細な説明】
【技術分野】
【０００１】  本考案は、ベッドの上で楽にカットが出来る補助台である
【背景技術】
【０００２】  今までは、ベッドの上で１人が頭を持ち上げ、もう１人がカットをするか、カット専用の枕を首にかませ隙間を作りカットする方法しかなかった。
【考案の概要】
【考案が解決しようとする課題】
【０００３】  ベッドで寝たきりのままでスムーズにカットを受けられなかったが、この補助台で自分の楽な位置での姿勢でカットが出来るようになった。
【課題を解決するための手段】
【０００４】  本考案は、ベッドに補助台を置き背もたれの部分に背を置き、勾配の調整で楽な姿勢にしてカットが出来るように解決している。
【考案の効果】
【０００５】  本考案によりベッドの上で座るような姿勢になり鏡を見ながらカットができ、精神的にも肉体的にも満足していただける。
【図面の簡単な説明】
【０００６】
【図１】  斜めから見た図面
【考案を実施するための形態】
【０００７】  補助台は横から見るとＬ字型をしており、ストッパーを移動する事により自由に背もたれの勾配が調節でき、背もたれの上の上・下・斜めになる枕棒を使い楽にカットが出来る姿勢となる。
【実施例】
【０００８】  以下、添付図面に従って実地例を説明する。
本体は耐久性に優れた木材による補助台で▲２▼の背もたれの部分に背を乗せ▲３▼の背もたれストッパーで３ａ、３ｂ、３ｃで角度の調整▲４▼の枕棒を▲５▼の上・下・斜めにスライドが自由に出来る枕棒固定具にかませる。
【符号の説明】
【０００９】  ▲１▼補助台本体  ▲２▼背もたれ  ▲３▼背もたれストッパー  ▲４▼枕棒  ▲５▼枕棒固定具
【図１】
0003168728.tif 000003
【手続補正書】
【提出日】平成23年3月30日(2011.3.30)
【手続補正１】
【補正対象書類名】実用新案登録請求の範囲
【補正対象項目名】全文
【補正方法】変更
【補正の内容】
【実用新案登録請求の範囲】
【請求項１】
補助台本体と背もたれの勾配が変えられる背もたれから構成され、背もたれを支える背もたれ棒と補助台本体の底部に複数のストッパーが備えられ、背もたれの左右にのびる棒を備え、その棒を包む枕棒固定具により枕棒が上下にスライド出来ることを特徴とするベッド専用カット補助台。
(57)【要約】      （修正有）【課題】手が不自由な人でもジャンケンができるサイコロを提供する。【解決手段】サイコロの正六面体の各面に１から６の数字を記載するとともに、グー、チョキ、又はパーの絵柄を対応する面が同じ絵柄になるように表示する。【選択図】図１
0003168773.tif 000002
【実用新案登録請求の範囲】
【請求項１】
サイコロの正六面体の本体Ｃの面にグー、チョキ、又はパーの絵柄Ｂを、対応する面が同じ絵柄になるよう表示し、その絵柄Ｂの傍に、１から６の何れかの数字を併記して表示することによりジャンケンできるようにしたことを特徴とするサイコロ。
【考案の詳細な説明】
【技術分野】
【０００１】本考案は、サイコロに加えて、ジャンケンを提供するサイコロに関する。
【背景技術】
【０００２】サイコロは卓上遊戯などに用いる小道具で、乱数を発生させるために使う。
正六面体で、各面にその面の数を示す１個から６個の小さな点が記されていて、対面の和は必ず７である。１から６の算用数字が記されているものもある。
従来のサイコロの数字による遊びに加えて、ジャンケンができるサイコロが求められている。
【先行技術文献】
【特許文献】
【０００３】
【特許文献１】実開平５−５６１８７公報
【考案の概要】
【考案が解決しようとする課題】
【０００３】１）従来のサイコロでは、数字による遊びができるが、ジャンケンができない。
２）手でグー、チョキ、パーの形を作ることができない人はジャンケンをすることができない。
【課題を解決するための手段】
【０００４】サイコロの正六面体の本体Ｃの面にグー、チョキ、又はパーの絵柄Ｂを、対応する面が同じ絵柄になるよう表示し、その絵柄Ｂの傍に、１から６の何れかの数字を併記して表示することによりジャンケンできるようにしたことを特徴とするサイコロ。
【考案の効果】
【０００５】１）本考案のサイコロにより、従来のサイコロとともに、ジャンケンもできる遊戯の道具を提供する。
２）本考案のサイコロを用いて、手の不自由の人でも、サイコロを転がすだけでジャンケンができる。
３）さらに、複数の人がサイコロをするとき、各人に異なる色のサイコロをもたせることができ、各人が同じ場に、同時にサイコロを振っても、自分のサイコロを識別し易くなる。
【図面の簡単な説明】
【０００６】
【図１】本考案のサイコロの構成
【図２】本考案のサイコロの数字と絵柄の対応
【考案を実施するための形態】
【０００７】図１は、本考案のサイコロの構成である。
本考案のサイコロは、正六面体の本体Ｃの面にグー、チョキ、又はパーの絵柄Ｂを対応する面が同じ絵柄になるようにて表示する。その絵柄の傍に１から６の何れかの数字Ａを併記して表示する。このように、従来のサイコロに加えて、ジャンケンができる。
図２は、本考案のサイコロは、正六面体の本体Ｃの面に表示される絵柄と数字の対応を示す。
【０００８】
【産業上の利用可能性】
【０００９】サイコロに、ジャンケンの絵柄を記載し、本体Ｃの色が違えることにより、多種類のサイコロの遊び方を提供する。
【符号の説明】
【００１１】Ａ    数字
Ｂ    絵柄
Ｃ    本体
【図１】
0003168773.tif 000003
【図２】
0003168773.tif 000004
(57)【要約】      （修正有）【課題】フリースを使用することにより暖かさと身体によりフィットした快適な着心地が得られるあったかベストを提供する。【解決手段】ベストの背裏及び身頃裏に、背裏仕様の薄い裏地ではなくフリース１０を使用して、縫製工程も簡単でコストを上げることなくより暖かく着用できるウォームビズとして適したあったかベストを形成する。【選択図】図１
0003168774.tif 000002
【実用新案登録請求の範囲】
【請求項１】
ベストの裏地にフリースを使用することでより暖かさを特徴としたベスト
【考案の詳細な説明】
【技術分野】
【０００１】この考案は、ベストの背裏及び身頃裏にフリースを使用することにより従来の裏地使かいよりもはるかに暖かく快適。
【背景技術】
【０００２】ベストの背裏及び身頃裏にフリースを使用するだけなので縫製工程も簡単でコストを上げることなくウォームビズとして最適です。
【考案が解決しようとする課題】
【０００３】従来の背裏仕様は薄い裏地使いで背中においてはとくに暖かくなることはありませんでした。
【考案の結果】
【０００４】フリースを使用することにより暖かさと身体によりフィットした快適な着心地が得られます。
【図面の簡単な説明】
【０００５】
【図１】ベスト裏側フリース使い
【図２】従来のベスト裏地使い
【符号の説明】
【０００６】１０  フリース
１１  裏地
１２  表地
【図１】
0003168774.tif 000003
【図２】
0003168774.tif 000004
(57)【要約】      （修正有）【課題】長時間の睡眠時に人体に効果、効能のある芳香を鼻孔から効率よく吸引させる為枕を利用し、芳香発生体の収納、時間の経過により芳香の発生が減退する芳香発生体の交換を容易にする枕を提供する。【解決手段】枕両側端部分二カ所に生地の縫製により芳香発生体を収納する袋状の部位を成形する。開口部分を有し、縫製部分により袋状の独立した部分を有する。両端部分４，５に収納部分を設けることにより睡眠時、個体である芳香発生体が頭部、顔面にあたることをさける。仰向け時は両側端部分より、横向き時は鼻孔近く片側より芳香が供給される。【選択図】図４
0003168775.tif 000002
【実用新案登録請求の範囲】
【請求項１】
枕両側端に芳香発生体を収納する部分を生地の縫製により成形された枕
【考案の詳細な説明】
【技術分野】
【０００１】本考案は芳香発生体から発せられる芳香をより効率良く吸引させることを目的とした枕である。
【背景技術】
【０００２】芳香による人体に及ぼす効果、効能は医学的に証明されており空間に芳香を発する器具が開示されている。
【考案の概要】
【考案が解決しようとする課題】
【０００３】長時間の睡眠時に人体に効果、効能のある芳香を鼻孔から効率よく吸引させる為枕を利用し、芳香発生体の収納、時間の経過により芳香の発生が減退する芳香発生体の交換を容易にすること。
【課題を解決するための手段】
【０００４】請求項１に記載の考案は、枕の端に芳香発生体を収納する独立した袋二カ所を生地の縫製により成形し、睡眠時安定的に顔面、鼻孔に芳香を供給する。
【図面の簡単な説明】
【０００５】
【図１】枕正面の図
【０００６】
【図２】芳香発生体の図
【０００７】
【図３】芳香発生体収納部分拡大の図
【０００８】
【図４】芳香発生体収納時の透視の図
【図１】
0003168775.tif 000003
【図２】
0003168775.tif 000004
【図３】
0003168775.tif 000005
【図４】
0003168775.tif 000006
(57)【要約】      （修正有）【課題】合成樹脂フィルム製割箸袋の開封構造に関し、開封の簡易性を高め、高齢者や障害者にも安全簡易に開封することができる割箸袋を提供する。【解決手段】合成樹脂フィルム製割箸袋の一方の短辺寄りの部位に短辺と平行に開封用のミシン目３ｂを形成し、箸袋端部を指でつまみ、長手方向に引っ張ることにより微力で切り離すことのできる開封構造を設け、併せてミシン目開封部位および開封操作の要領図をフィルム面に印刷表示３ｅし、開封操作を誘導・補助する。【選択図】図１
0003168776.tif 000002
【実用新案登録請求の範囲】
【請求項１】
割箸を収納可能な大きさの長・短辺を有する矩形状に裁断した合成樹脂製フィルムの一方の短辺寄りの部位に、あらかじめ短辺と平行に開封用のミシン目を設け、短辺を２つ折りにすることにより割箸をその間に介在させた状態で周辺部を接着して形成することを特徴とした割箸袋。
【請求項２】
開封用のミシン目が、割箸を保護するために必要な強度と、開封を容易にする脆弱性を兼ね備えた破線により形成され、箸袋端部を指でつまみ、長手方向に引っ張ることにより微力で開封できることを特徴とした請求項１記載の割箸袋。
【請求項３】
開封操作を誘導・補助するため、開封用のミシン目付近に開封部位および開封操作の要領図など所望の絵柄を印刷した請求項１及び２記載の割箸袋。
【考案の詳細な説明】
【技術分野】
【０００１】本考案は、合成樹脂フィルム製割箸袋に関し、開封の簡易性を高め、併せて楊枝を入れた場合の開封操作に伴う指の受傷事故の減少に資し、高齢者や障害者にも安全簡易に開封することができる割箸袋の開封構造に係わる。
【背景技術】
【０００２】従来の合成樹脂フィルム製割箸袋は、開封部位に切裂き用の切れ込みを形成することにより開封操作を可能にしていた。（特許文献１）
【先行技術文献】
【特許文献】
【特許文献１】実用新案第３０４３１２５号
【考案が解決しようとする課題】
【０００３】しかし、前者の割箸袋は、切れ込みが微小であるため、視力が乏しく手先操作が困難な高齢者や障害者にとっては、当該部位の視認が困難であり、また開封操作に手間取り、楊枝を入れた場合には開封操作時に楊枝の先で指を傷つける恐れがある。
【０００４】そこで、本考案者は、このような問題点に鑑み、切れ込みを形成することなく、高齢者や障害者にも平易に開封できる簡易開封割箸袋を考案するに至ったものである。
【課題を解決するための手段】
【０００５】上記課題の解決を図るため、本考案は合成樹脂フィルム製割箸袋の一方の短辺寄りの部位に短辺と平行する開封用のミシン目を形成し、袋端部を指でつまみ、長手方向に引っ張ることにより微力で切り離すことのできる開封構造を特徴とするものである。
【０００６】また、本考案は形成したミシン目に隣接して開封部位および開封操作の要領図をフィルム面に印刷表示することにより、開封操作を誘導・補助するものである
【考案の効果】
【０００７】上記のように、本考案のミシン目つき簡易開封割箸袋は、これまでの開封の為の微小な切れ込みに煩わされることなく、印刷表示した開封部位および開封操作の要領図に従い、袋端部を指でつまみ、長手方向に引っ張ることにより容易に開封することができる。
このことは、視力が乏しく手先操作が困難な高齢者や障害者にめざましい作用効果を発揮し、割箸袋の開封操作を補助し、また楊枝を入れた場合は開封操作時に楊枝の先で指を傷つける恐れを軽減するものである。
【考案を実施するための形態】
【０００８】本考案の一例となる実施の形態について、図面に示す実施例に基づいて説明する。
図１は本考案の一例となる簡易開封構造を備えた合成樹脂フィルム製割箸袋１の正面図であり、割箸２の大きさに対応して裁断する合成樹脂製フィルム３の開封部位にあらかじめミシン目を形成し、その幅方向中央線の３ａを折目にして二つ折りに折り返し、二つ折り部を除く三側面を熱融着することによって、割箸２を包装したものである。また、開封用ミシン目に隣接して、開封部位および開封操作の要領図をフィルム面に印刷表示することにより、開封操作を誘導・補助する働きを持たせている。
【０００９】図３は割箸２を包装する合成樹脂製フィルム３の展開図、図４は３に形成するミシン目の一例となる構造を示すものであるが、当該ミシン目には割箸を保護包装するために必要な一定の強度と、開封を容易にする脆弱性を兼ね備えていることが求められる。そのため、図４に示すように開封用ミシン目は合成樹脂製フィルム端部を避け、かつおおよそ６：１の間隔で切断部と未切断部を繰り返し構成する破線を特徴としている。
【図面の簡単な説明】
【００１０】
【図１】本考案の簡易開封構造を備え、開封操作の要領を印刷表示した合成樹脂フィルムで包装したミシン目つき簡易開封割箸袋１の正面図である。
【図２】図１のＡ−Ａ線断面図である。
【図３】本考案の簡易開封構造に使用する合成樹脂製フィルムにあらかじめ開封用ミシン目を施した展開図である。
【図４】本考案の簡易開封構造に使用する合成樹脂製フィルムに形成する開封用のミシン目の一例を示すミシン目形状図である。
【符号の説明】
【００１１】１．  ミシン目つき簡易開封割箸袋本体
２．  割箸
３．  合成樹脂フィルム製包装袋
ａ    熱融着部
３ａ  二つ折部
３ｂ  開封用ミシン目
３ｃ  裁断部
３ｄ  デザイン（例）印刷面
３ｅ  開封要領印刷表示
【図１】
0003168776.tif 000003
【図２】
0003168776.tif 000004
【図３】
0003168776.tif 000005
【図４】
0003168776.tif 000006
(57)【要約】      （修正有）【課題】カメラ本体にバッテリーを搭載することにより、ノートパソコンなどの他の製品からの電源供給を受けずに、書画カメラ本体のみで使用可能にする書画カメラを提供する。【解決手段】書画カメラは、アーム部１０の先端にある液晶１３の下部にカメラを有し、この液晶１３に表示された画像情報を見ながらカメラを操作するボタン１４が本体１２に取り付けてあり、アーム部１０を支える支持棒１１は本体１２に折り畳んで収納可能になっている。本体１２の底面にバッテリーを収納するバッテリー収納部が備え付けられている。このようにバッテリーを搭載する事により、外部からの電源供給を受けずに使用可能にする。この構成により、画像情報は、アーム上部の液晶１３で確認することができる。【選択図】図１
0003168752.tif 000002
【実用新案登録請求の範囲】
【請求項１】
カメラを有するアーム部１０とそのアーム部を支える支持棒１１を有し、使用しない時には折り畳んだ状態で収納する。また、バッテリーを底面に搭載し、パソコン無しで、本物品単体で使用する事が可能な事を特徴とする書画カメラ。
【請求項２】
請求項１に記載の書画カメラにおいて、カメラ上部に液晶１３を有する事を特徴とする。
【請求項３】
請求項１〜２の書画カメラにおいて、カメラと液晶１３を操作するボタン１５を本体に有する。
【請求項４】
請求項１〜３の書画カメラにおいて、本体中央を凹ませ持ち易さを特徴とする。
【考案の詳細な説明】
【技術分野】
【０００１】この考案は、バッテリーを利用する事により、外部からの電源供給無しに本物品単体で使用可能にしたものである。
【背景技術】
【０００２】従来、書画カメラに電源供給するには、ノートパソコンにＵＳＢケーブルを接続して使用しなければならない。この書画カメラは、画像情報をノートパソコンやプロジェクタを利用し、画像の確認や投影を行い、一般にノートパソコン本体と一緒に使用する。
【特許文献】
【０００３】
【特許文献１】特開２０１０−１７１７６１（Ｐ２０１０−１７１７６１Ａ）
【考案が解決しようとする課題】
【０００４】会議やミーティングで使用する場合、プロジェクタの他、ノートパソコン本体が必要になる。ノートパソコン本体が無い場所では使用が出来ず不便を生じる。また、電源を供給するためのＵＳＢケーブルが別途必要になる。
【０００５】この考案は、こうした課題を解決するもので、ノートパソコンなどの他の製品からの電源供給を受けずに、書画カメラ本体のみで使用可能にする事を目的とするものである。
【課題を解決するための手段】
【０００６】上記の課題を解決するため、この書画カメラ本体にバッテリーを搭載し電源供給を行い、ノートパソコンを必要としないため画像情報は、アーム上部の液晶１３で確認する。
【考案の効果】
【０００７】この考案は以上のように構成され、この電源供給方法を用いることで、ノートパソコン本体と電源用ＵＳＢケーブルを接続することなく、書画カメラ単体での使用を可能にする事が出来る。
【０００８】また、この考案の書画カメラは、電気スタンドとしても使用可能であり、大きな商品価値を有するものである。
【図面の簡単な説明】
【０００９】
【図１】本考案の晝画カメラを説明するための図
【図２】本考案の書画カメラの平面図と底面図
【符号の説明】１０  カメラを有するアーム
１１  アームを支える支持棒
１２  本体土台
１３  液晶
１４  操作ボタン
１５  バッテリー収納部
【考案を実施するための形態】
【００１０】以下に、この考案の実施の形態を、図面に基づいて説明する。
この考案の書画カメラは、図１に示すように構成され、アーム部１０の先端にある液晶１３の下部にカメラを有し、この液晶１３を見ながらカメラを操作するボタン１４が本体１２に取り付けてあり、アーム部１０を支える支持棒１１は本体１２に折り畳んで収納可能になっている。
【００１１】この考案の書画カメラは、図２に示すように構成され、本体１２の底面にバッテリーを収納する１５が備え付けられている。このようにバッテリーを搭載する事により、外部からの電源供給を受けずに使用可能になっている。
【図１】
0003168752.tif 000003
【図２】
0003168752.tif 000004
【手続補正書】
【提出日】平成23年3月31日(2011.3.31)
【手続補正１】
【補正対象書類名】実用新案登録請求の範囲
【補正対象項目名】全文
【補正方法】変更
【補正の内容】
【実用新案登録請求の範囲】
【請求項１】
カメラを有するアーム部１０と、そのアーム部１０を支える支持棒１１とを有し、アーム部１０と支持棒１１とは折り畳み可能なアームで、使用しない時には折り畳んだ状態で収納する収納部と、操作ボタン１４を有する本体部１２とを有する書画カメラであって、バッテリーを底面のバッテリー収納部１５に搭載し、パソコン無しで、本物品単体で使用する事が可能な事を特徴とする書画カメラ。
【請求項２】
請求項１に記載の書画カメラにおいて、アーム部１０のカメラ上部に液晶１３を有する事を特徴とする書画カメラ。
【請求項３】
請求項２の書画カメラにおいて、カメラと液晶１３を操作するボタン１５を本体部１２に有する事を特徴とする書画カメラ。
【請求項４】
請求項１〜３のいずれか一項に記載の書画カメラにおいて、本体部１３の中央部分を凹ませ持ち易すい事を特徴とする書画カメラ。
(57)【要約】      （修正有）【課題】空気を満たして膨らむ大小数本のゴムチューブからなり、それぞれのゴムチューブは接着剤等で、同心円状に輪状のチューブを結ぶことにより、海等に浮かべて釣等が出来、又は、子供用プールとしても使用できるプールボートを提供する。【解決手段】空気が入って膨らむビニール製の円筒状の壁部１と同心状に配列され、互いに接着され、空気が入り膨らむゴム製のチューブからなる底部２とからなる。【選択図】図１
0003168755.tif 000002
【実用新案登録請求の範囲】
【請求項１】
空気が入って膨らむ同筒状の壁部と同心状に配列され、互いに接着され空気が入り、膨らむ輪状チューブからなる底部とからなる事を特徴とするプールボート。
【請求項２】
前記底部の外側に複数の重りつけ用のフックを設けた請求項１、記載のプールボート。
【考案の詳細な説明】
【技術分野】
【０００１】  本考案は、プールとして使用でき、ボートとしても使用できるプールボートに関するものである。
【背景技術】
【０００２】  従来、空気を入れてなるビニールプールは存在していた。
しかし、海等に浮かべて釣等に使われることはなかった。
【考案の概要】
【考案が解決しようとする課題】
【０００３】  今あるボートでは、子供用プールとして使われない。
又、ビニールプールでは、海等に浮かべて釣等に使われない。
なぜならば、従来のビニールプールでは、空気を入れて浮かばすことができないからである。
そこで、浮力を大きくさせなければならないから、体積の大きい袋状のようなものに、空気を入れることで解決できる。
又、勿論空気を入れ出しできる栓も必要になってくる。
【課題を解決するための手段】
【０００４】  本考案は、空気を満たして膨らむ大小数本のゴムチューブからなり、それぞれのゴムチューブは接着剤等で、同心円状に輪状のチューブを結ばれている。それらを特徴とするプールボートである。
【考案の効果】
【０００５】  本考案のプールボートは、海等に浮かべて、釣等が出来、又は、子供用プールとしてゆうぎできるものである。
【図面の簡単な説明】
【０００６】
【図１】本考案に係るプールボートの斜視部である
【図２】本考案のプールボートの底部の平面図である。
【図３】本考案の輪状のチューブの断面図である。
【図４】本考案の輪状のチューブの空気の栓の説明図である。
【考案を実施するための形態】
【０００７】  図１に示す様に、１は同筒状の壁部であり、ビニールからできている４は空気出入口である。
【０００８】  図２は本考案に係るプールボートの底部である。底部は同心円状に複数のチューブが互いに接着剤等で接着されている。各チューブの下側には、それぞれ空気の出入口が設けられている。
【０００９】  図３は底部の断面図である。各チューブの空気は独立しているので１つの空気が抜けても、他のチューブには影響は受けず、安全を維持することができる。
【符号の説明】
【００１０】１．−円筒状の壁部
２．−底部
３．−チューブ
４．−壁部の空気出入口
５．−重りを付けるフック
【図１】
0003168755.tif 000003
【図２】
0003168755.tif 000004
【図３】
0003168755.tif 000005
【手続補正書】
【提出日】平成23年4月25日(2011.4.25)
【手続補正１】
【補正対象書類名】明細書
【補正対象項目名】０００６
【補正方法】変更
【補正の内容】
【０００６】
【図１】本考案に係るプールボートの斜視部である。
【図２】本考案のプールボートの底部の平面図である。
【図３】本考案の輪状のチューブの断面図である。
(57)【要約】      （修正有）【課題】自転車を広告媒体として活用するため、自転車が走行中車輪が回転しても、ハブに取付けた広告板は回転しない装置を提供する。【解決手段】ハブと広告板の接点を小さくすることで摩擦を小さくし、広告板の外側に錘を付けることで広告板の回転を止める。又、ハブの中心部に溝と壁を設け広告板がぶれないようにする。【選択図】図１
0003168751.tif 000002
【実用新案登録請求の範囲】
【請求項１】
自転車の車輪の中心部（ハブ）に広告媒体を取付た装置で、自転車が走行中車輪が回転しても広告媒体は回転しない仕組である。
自転車の大半の車輪は規格化された構造で、ハブの左右から外輪（リム）まで数十本の細い鋼鉄線（スポーク）で繋がれていて自転車全体を支える構造になっている。
このハブの左右からリムにつながるスポークとスポークの間に空間があり、この部分に円形などの広告媒体（樹脂製などの平面の板）を車輪と平行にハブに取付ける。
ハブの軸部分の中心部に溝ができるように厚みのある筒状（樹脂製などの素材）のものを左右に取付け（広告板固定ユニット）、広告板が走行中左右にぶれるのを防ぐ役割をもたせる。
広告板はハブの軸の中心部に作った溝に、取付ける箇所を多少大きめに丸く削り、広告板の外側に錘を付け、車輪やハブが回転しても広告板は回転しないで、且つ広告板固定ユニットに支えられて進行方向に対して左右にぶれないでスポークに接触しない構造にしたものである。
【考案の詳細な説明】
【技術分野】
【０００１】自転車を広告媒体とした分野
【背景技術】
【０００２】自動車の分野では、走行中タイヤは回転しているのに対し、ホイールは回転しないシステムがあり、ホイールを広告媒体にしている。
【考案の概要】
【考案が解決しようとする課題】
【０００３】自転車が走行中車輪やハブが回転しているときでも、車輪の中心に取付けた広告板が回転しないようにすること。又、広告板が走行中左右にぶれ、スポークに接触しないようにすること。
【課題を解決するための手段】
【０００４】広告板を車輪やハブに固定しない。ハブの回転に広告板が引っ張られないよう摩擦を小さくするために、広告板の素材を樹脂製品などの軽量製品を採用する。
又、広告板とハブの接点を小さくするため広告板を薄い板状にする。広告板の外側に錘を付け比重を下方にし回転するのを防ぐ。
広告板が左右にぶれないようハブの中心部を筒状の樹脂製品などの材料でハブの左右に固定（広告板固定ユニット）して中心部が溝になるよう壁を設け、広告板をはめ込み左右にぶれるのを防ぐ。
【考案の効果】
【０００５】広告が目的なので、自転車が走行中車輪が回転しているのに車輪の中心にある広告板が停止している状態は、目に止まりやすく広告効果が高い。
【図面の簡単な説明】
【図１】自転車の車輪を側面から見て、本考案の広告板が取り付いた図で、ハブを除くスポーク等の自転車の部品は省いた図。
【図２】ハブに広告板を取付け、側面から見たときの図。
【図３】ハブに広告板を取付け、正面から見たときの図。
【考案を実施するための形態】
【０００６】広告板の形状は、円形をベースに半円形や扇形を板状にしたもので、様々な形状を用い広告主の要請に応えられるようにする。
広告板固定ユニットはハブを覆う厚みのある筒状のものとする。
【実施例】
【０００７】レンタサイクルやコミュニティサイクルなどで使用されている自転車に取付けて走ることで、それを見る多くの生活者に広告をアピールする。
【産業上の利用可能性】
【０００８】レンタサイクルやコミュニティサイクル事業などを行っている事業者はその事業自体の運営だけでは成り立たないケースが多く、収益性のある広告媒体を望んでいる。そのためには広告効果があり、広告主の受注を獲得できれば事業者の支援につながることが期待できる。
【符号の説明】特別な符号なし
【図１】
0003168751.tif 000003
【図２】
0003168751.tif 000004
【図３】
0003168751.tif 000005
【手続補正書】
【提出日】平成23年4月1日(2011.4.1)
【手続補正１】
【補正対象書類名】実用新案登録請求の範囲
【補正対象項目名】全文
【補正方法】変更
【補正の内容】
【実用新案登録請求の範囲】
【請求項１】
（１）自転車の車輪のハブに広告媒体を取付た装置で、自転車が走行中車輪が回転しても広告媒体は回転しない仕組である、（２）自転車の大半の車輪は規格化された構造で、ハブの左右からリムまで数十本の細い鋼鉄製のスポークで繋がれていて自転車全体を支える構造になっている、このハブの左右からリムにつながるスポークとスポークの間に空間があり、この部分に円形など様々な形状にデザインされた広告媒体を車輪と平行にハブに取付ける、（３）広告板を取付けるハブの中心部に溝ができるように厚みのある筒状のものを左右から広告板が固定されるように広告板固定ユニットを取付、広告板が走行中左右にぶれるのを防ぐ役割をもたせる、（４）広告板は、ハブの中心部に作った溝に取付ける箇所を多少大きめに丸く削り、広告板の外側の一箇所には錘を付け車輪やハブが回転しても広告板は回転しないようにし、且つ広告板固定ユニットに支えられて進行方向に対して左右にぶれないでスポークに接触しない構造にしたもので、以上からなる自転車の車輪の中心部のハブに広告媒体を取付けた装置。
(57)【要約】      （修正有）【課題】太陽電池モジュールの四方にステンレス製の集光型太陽光発電装置を取り付けることにより、本来の太陽光発電システムの設置面積よりも太陽光を受ける面積が大きくなると同時に反射させた太陽光の分、発電量を増加させることが出来る集光型太陽光発電装置を提供する。【解決手段】太陽電池モジュールと、前記太陽電池モジュールの周端部に、前記太陽電池モジュール面から傾斜させて配置したステンレス板と、架台を設けて、集光型太陽光発電装置を構成する。【選択図】図１
0003168758.tif 000002
【実用新案登録請求の範囲】
【請求項１】
集光型太陽光発電装置として、太陽電池モジュールの付近にステンレスを採用した装置を取り付けます。太陽電池モジュールに太陽光を反射させ、発電量を増加させる仕組みで鏡と同じ原理ですが、鏡よりも強度が高く、雨風に強い、地震や火災などの災害時でも安全性が保たれているという理由からステンレスを採用します。
【考案の詳細な説明】
【技術分野】
【０００１】太陽光発電システム全般
【背景技術】
【０００２】従来の太陽光発電システムにおける問題点は、設置面積が限られていることにより、発電量に限りがあります。そこで、ステンレス製の集光型太陽光発電装置を取り付けることで、太陽光の受け皿が広がると同時に反射させた太陽光エネルギー分、発電量が増加します。
【考案の開示】
【考案が解決しようとする課題】
【０００３】これまでも集光型太陽光発電装置の発明や考案はありましたが、鏡やガラス製などの素材を使用したもので、強度が低く、雨風に弱い、また耐久性が低いため、地震や火災などの災害時に安全ではないとされていました。
【課題を解決するための手段】
【０００４】上記の課題を解決するために、ステンレス製の集光型太陽光発電装置を制作します。
【考案の効果】
【０００５】ステンレス製の集光型太陽光発電装置を設置した結果、発電量が１．２倍ほど増加しました。研究を重ね、さらに強度を高める事で発電量１．５倍増も実現する範囲です。安価なステンレスで発電量の増加が見込めるので、経済的効果は計り知れません。
【図面の簡単な説明】
【図１】ステンレス製の集光型太陽光発電装置を設置した際の太陽光の反射を示した側面図である。
【図２】ステンレス製の集光型太陽光発電を設置した際の上からの様子を示した平面図である。
【図１】
0003168758.tif 000003
【図２】
0003168758.tif 000004
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
太陽電池モジュールと、前記太陽電池モジュールの周端部に、前記太陽電池モジュール面から傾斜させて配置したステンレス板と、架台を備えたことを特徴とする、集光型太陽光発電装置。
(57)【要約】      （修正有）【課題】マスク表面への花粉等の付着を防止、改善することができるマスクを提供する。【解決手段】マスクの主要構造部は、従来のマスクのフィルターの役目をする繊維径の小さな不織布２等に重ねて大気と接する面に帯電防止性に優れた素材１を縫いつける。この素材１にデニム生地を使用しマスク表面への花粉等の付着防止を容易にかつおしゃれに実現する。【選択図】図２
0003168756.tif 000002
【実用新案登録請求の範囲】
【請求項１】
主要構造部に帯電防止性に優れた素材を使用することを特徴とするマスク
【請求項２】
前記帯電防止性に優れた素材は、デニム生地であることを特徴とする請求項１記載のマスク。
【考案の詳細な説明】
【技術分野】
【０００１】
本考案は、花粉等防止用に用いるマスクの構造に関する。
【背景技術】
【０００２】
従来の花粉等防止用に用いるマスクの構造は、マスクの主要構造部に繊維径の小さな不織布等をフィルターとして使用し花粉の侵入を防止する機能が設けられたものである。
【先行技術文献】
【特許文献】
【０００３】
【特許文献１】特開２０１０−２７４１０２号公報
【考案の概要】
【考案が解決しようとする課題】
【０００４】
しかしながら、従来のマスクでは花粉の侵入を防止することに優れていても、マスク表面に付着した花粉に対策がなされていなかったため、花粉を付着したままマスクを使用しなければならない欠点があった。
【課題を解決するための手段】
【０００５】
以上の課題を解決するために、第１考案は、マスク主要構造部に帯電防止性の優れた素材を使用するマスクである。
また、第２考案はマスク主要構造部に帯電防止性の優れた素材を使用し、この素材にデニム生地を使用することである。
【考案の効果】
【０００６】
第１考案によれば、マスクの主要構造部の大気と接触する面に帯電防止性に優れた素材を従来の不織布等のフィルター機能を持たせた部分の上に重ねて使用することでマスク表面に花粉等が付着するのを防止することができる。
第２考案によれば、デニム生地のもつ帯電防止性の優れた特性を利用することにより、マスク表面への花粉等の付着を防止することを容易に、かつおしゃれに実現できる。
【図面の簡単な説明】
【０００７】
【図１】本考案の実施形態を示す正面図である。
【図２】本考案の実施形態を示す断面図である。
【考案を実施するための形態】
【０００８】
本考案の実施形態の正面図を図１、断面図を図２に示す。
マスクの主要構造部は、従来のマスクのフィルターの役目をする繊維径の小さな不織布等で構成された２に重ねて大気と接する面に帯電防止性に優れた素材１を縫いつける。この素材１にデニム生地を使用しマスク表面への花粉等の付着防止を容易にかつおしゃれに実現する。
【０００９】
「実施形態の効果」
この実施形態によれば、帯電防止性のすぐれた素材１をマスク主要構造部に使用することによりマスク表面への花粉等の付着を防止、改善することができる。
「他の実施形態」
図１の実施形態では、帯電防止性に優れた素材１を、従来のマスクのフィルターの役目をする繊維径の小さな不織布等で構成された２に縫いつけていたが、他の実施形態ではこれを貼り付けるようにし、１を交換できるようにしても良い。
【符号の説明】
【００１０】
１  帯電防止性に優れた素材          
２  フィルターの役目をする不織布
【図１】
0003168756.tif 000003
【図２】
0003168756.tif 000004
【手続補正書】
【提出日】平成23年4月8日(2011.4.8)
【手続補正１】
【補正対象書類名】実用新案登録請求の範囲
【補正対象項目名】全文
【補正方法】変更
【補正の内容】
【実用新案登録請求の範囲】
【請求項１】
フィルター機能を持たせた部分の上に帯電防止性に優れたデニム生地を使用することを特徴とするマスク
(57)【要約】【課題】それぞれ異なる飲料をそれぞれ異なるルートにより口中に導き、同時に飲用する新規な飲料用ダブルストローを提供することを目的とする。【解決手段】２本のストロー１，１からなり、それぞれのストロー１，１の飲み口２位置で互いに接着３してあり、それぞれのストロー１，１の飲み口２近傍位置に折り曲げ用蛇腹部４を設けてあることを特徴とする。【選択図】図２
0003168702.tif 000002
【実用新案登録請求の範囲】
【請求項１】
２本のストローからなり、それぞれのストローの飲み口位置で互いに接着してあり、それぞれのストローの飲み口近傍位置に折り曲げ用蛇腹部を設けてあることを特徴とする飲料用ダブルストロー。
【請求項２】
上記２本のストローが、それぞれ外ストローと内ストローとからなり、内ストローが外ストロー内に挿入されてなる２重伸縮ストローである上記請求項１に記載の飲料用ダブルストロー。
【請求項３】
上記２本の２重伸縮ストローのそれぞれ外ストローの先端近傍位置にも折り曲げ用の蛇腹部を設けてある上記請求項２に記載の飲料用ダブルストロー。
【考案の詳細な説明】
【技術分野】
【０００１】
本考案は、２種の飲料を同時に飲用する飲料用ダブルストローに関する。
【背景技術】
【０００２】
例えばコーヒー飲料の中には、コーヒー飲料に暖めたミルクを混入して飲むカフエオレという飲料がある。一般的にこれは、コーヒーカップ内にコーヒー飲料と暖めたミルクとを同時に注いでコーヒーカップから飲用するものである。
このコーヒー飲料と暖めたミルクを別々のルートで口の中に導き入れ、飲用すればどのような味になるのかを考案者は考え、そのために、２本のストローを用い、一方をコーヒー用とし、他方をミルク用として同時に口の中に導き入れ飲用することを考えた。
【０００３】
最近、消費者の嗜好もあり、飲料メーカーから果実入り、果汁入り、野菜ジュウス、コーヒー等の多くの種類の飲料が紙容器パックやプラスチック容器に入れられて店頭または自販機で売られている。
このため、内容物の異なる２種類の飲料パックに簡単にストローを突き刺して飲めれば、食感の違いもあり、新鮮な味わいを作り出せる。特に、飲料メーカーでは、自社製品の新規商品用の売り込みキャンペーン用に期待できることを考えた。
【考案の概要】
【考案が解決しようとする課題】
【０００４】
本考案は、それぞれ異なる飲料をそれぞれ異なるルートにより口中に導き、同時に飲用する新規な飲料用ダブルストローを提供するものである。
【課題を解決するための手段】
【０００５】
そのために、本考案飲料用ダブルストローは、２本のストローからなり、それぞれのストローの飲み口位置で互いに接着してあり、それぞれのストローの飲み口近傍位置に折り曲げ用蛇腹部を設けてあることを特徴とするものである。
【０００６】
上記２本のストローが、それぞれ外ストローと内ストローとからなり、内ストローが外ストロー内に挿入されてなる２重伸縮ストローであるとよい。
上記２本の２重伸縮ストローのそれぞれ外ストローの先端近傍位置にも折り曲げ用の蛇腹部を設けてあるとよい。
【考案の効果】
【０００７】
本考案の飲料用ダブルストローは、２本のストローからなり、それぞれのストローの飲み口位置で互いに接着してあり、それぞれのストローの飲み口近傍位置に折り曲げ用蛇腹部を設けてあることを特徴とするから、例えばコーヒーと暖めたミルクのように別々の飲料を各別のストローにより異なるルートで口の中に導き入れて飲用でき楽しめるという効果がある。
【図面の簡単な説明】
【０００８】
【図１】１本ストローを２本でセットにした本考案飲料用ダブルストローの正面図である。
【図２】図１に示した飲料用ダブルストローの使用状態を示す正面図である。
【図３】２重伸縮ストローを２本でセットにした本考案飲料用ダブルストローの正面図である。
【図４】図３に示した飲料用ダブルストローの使用状態を示す正面図である。
【考案を実施するための形態】
【実施例１】
【０００９】
図１及び図２に２本の１本ストローをセットにした本考案の第１の実施例を示してある。図中符号１，１が２本１組でセットになる１本ストローで、それぞれの飲み口２の位置を揃えて位置付け、この飲み口２，２の位置近傍で互いに接着してある。この接着は超音波シール手段によるのが好ましい。
また、それぞれの１本ストロー１，１の飲み口近傍位置に折曲用の蛇腹部４を設けてある。
【００１０】
この第１の実施例の飲料用ダブルストローは、その不使用状態では、図１に示すような状態にあり、これが使用されるときは、それぞれの１本ストロー１，１の蛇腹部４，４で折り曲げて、それぞれの１本ストロー１，１の間隔を拡げて、先端部５，５を異なる飲料の容器に挿し込むようにする。
【実施例２】
【００１１】
図３及び図４には、２本の２重伸縮ストローをセットにした本考案の第２の実施例を示してある。図中符号１１，１１がそれぞれ外ストロー１６，１６と内ストロー１７，１７からなる２本１組でセットになる２重伸縮ストローで、第１の実施例と同様、それぞれの飲み口１２，１２の位置を揃えて位置付け、この飲み口１２，１２の位置近傍で互いに接着１３してある。この接着は超音波シール手段によるのが好ましい。
また、それぞれの２重伸縮ストロー１１，１１の飲み口近傍位置とその先端近傍位置の両位置に折曲用の蛇腹部１４，１４を設けてある。
【００１２】
この第２の実施例の飲料用ダブルストローは、その不使用状態では、図３に示すように２重伸縮ストロー１１，１１の内ストロー１７が外ストロー１６内に挿入された状態にあり、これが使用されるときは、図４に示すようにそれぞれの２重伸縮ストロー１１，１１の内ストロー１７が外ストロー１６から伸び出した状態にあり、それぞれの蛇腹部１４，１４で折り曲げて、それぞれの２重伸縮ストロー１１，１１の間隔を拡げて先端部１５，１５を異なる飲料の容器に挿し込むようにする。この２重伸縮ストローに変えて、本考案の飲料用ダブルストローが３重伸縮ストローであってもよい。
【符号の説明】
【００１３】
１  １本ストロー  
２  飲み口  
３  接着  
４  蛇腹部
５  先端部
１１  ２重伸縮ストロー
１２  飲み口
１３  接着
１４  蛇腹部
１５  先端部
１６  外ストロー
１７  内ストロー        
【図１】
0003168702.tif 000003
【図２】
0003168702.tif 000004
【図３】
0003168702.tif 000005
【図４】
0003168702.tif 000006
(57)【要約】【課題】  ロボットフィンガーの間接一つ一つ毎にモーターを使わないことで材料費を抑えたロボットフィンガー。【解決手段】  モーター５を上方向に４５度回転させてリンク３Ａならびにリンク６Ａを動かす。これにより板８Ｂも動かされ歯車１Ａを軸に歯車１Ｂが回転する。歯車１Ｂが回転することによってリンク３Ｂならびにリンク６Ｂが動かされる。これにより板８Ｄも動かされ歯車１Ｃを軸に歯車１Ｄが回転する。歯車１Ｄが回転することによりリンク４ならびに板１４Ｂも回転し、各関節が４５度ずつ曲がった状態となる。【選択図】図１
0003168769.tif 000002
【実用新案登録請求の範囲】
【請求項１】
歯車１Ａとリンク２、歯車１Ｂとリンク３Ｂ、歯車１Ｃとリンク９とスペーサー１０Ｂ、歯車１Ｄとリンク４、モーター５とリンク３Ａをそれぞれ接着する。
リンク３Ａとリンク６Ａをシャフト７Ａで、リンク３Ｂとリンク６Ｂをシャフト７Ｃでそれぞれ接続する。
上から見て板８Ａと板８Ｂの間に板８Ａから順に歯車１Ａ、リンク２、リンク９、板８Ｂとなるように配置しシャフト１１Ａで接続する。
同様に上から見て板８Ａと板８Ｂの間に板８Ａから順に歯車１Ｂ、リンク３Ｂ、リンク９、板８Ｂとなるように配置しシャフト１１Ｂで接続する。
また、上から見て板８Ｃと板８Ｄの間に板８Ｃから順に歯車１Ｃ、スペーサー１０Ｂ、リンク９、板８Ｄとなるように配置しシャフト１１Ｃで接続する。
同様に上から見て板８Ｃと板８Ｄの間に板８Ｃから順に歯車１Ｄ、リンク４、板８Ｄとなるように配置しシャフト１１Ｄで接続する。
また、上から見てリンク２、スペーサー１０Ａ、リンク３Ａ、モーター５となるようにモーター５で接続する。
リンク６Ａと板８Ｂをシャフト７Ｂで、シャフト６Ｂと板８Ｄをシャフト７Ｄでそれぞれ接続する。
板１２Ａと板１３と板１２Ｂ、板１４Ａと板１５と板１４Ｂをそれぞれコの字型になるようにそれぞれ接着する。
リンク４と板１４Ｂ、モーター５と板１２Ｂをそれぞれ接着する。
以上のような構造のロボットフィンガー。
【考案の詳細な説明】
【技術分野】
【０００１】  本考案は、歯車とリンク機構を用いた、ロボットフィンガーに関するものである。
【背景技術】
【０００２】  従来、ロボットフィンガーは間接一つ一つごとにモーターを使用していた。
【考案の概要】
【考案が解決しようとする課題】
【０００３】  ロボットフィンガーの間接一つ一つごとにモーターを使っていては材料費が高くなってしまい、大量生産が困難であった。
本考案は以上のような欠点を解決しようとするものである。
【課題を解決するための手段】
【０００４】  本考案は、ロボットフィンガーの関節ごとにリンクを取り付けた歯車を設け、またそれらのリンクによりまた別の関節に設けられた歯車を回転させることでモーターの代わりを担う。
【考案の効果】
【０００５】  本考案のロボットフィンガーは材料費を抑えたうえ、それぞれの関節を同時に同じ角度ずつ曲げるので人間の指の動きに近い動作を実現した。
【図面の簡単な説明】
【０００６】
【図１】本考案のロボットフィンガーの右側面図
【図２】本考案のロボットフィンガーの平面図
【図３】本考案のロボットフィンガーの各関節を４５度ずつ曲げた状態の右側面図
【考案を実施するための形態】
【０００７】  歯車１Ａとリンク２、歯車１Ｂとリンク３Ｂ、歯車１Ｃとリンク９とスペーサー１０Ｂ、歯車１Ｄとリンク４、モーター５とリンク３Ａをそれぞれ接着する。
リンク３Ａとリンク６Ａをシャフト７Ａで、リンク３Ｂとリンク６Ｂをシャフト７Ｃでそれぞれ接続する。
上から見て板８Ａと板８Ｂの間に板８Ａから順に歯車１Ａ、リンク２、リンク９、板８Ｂとなるように配置しシャフト１１Ａで接続する。
同様に上から見て板８Ａと板８Ｂの間に板８Ａから順に歯車１Ｂ、リンク３Ｂ、リンク９、板８Ｂとなるように配置しシャフト１１Ｂで接続する。
また、上から見て板８Ｃと板８Ｄの間に板８Ｃから順に歯車１Ｃ、スペーサー１０Ｂ、リンク９、板８Ｄとなるように配置しシャフト１１Ｃで接続する。
同様に上から見て板８Ｃと板８Ｄの間に板８Ｃから順に歯車１Ｄ、リンク４、板８Ｄとなるように配置しシャフト１１Ｄで接続する。
また、上から見てリンク２、スペーサー１０Ａ、リンク３Ａ、モーター５となるようにモーター５で接続する。
リンク６Ａと板８Ｂをシャフト７Ｂで、シャフト６Ｂと板８Ｄをシャフト７Ｄでそれぞれ接続する。
板１２Ａと板１３と板１２Ｂ、板１４Ａと板１５と板１４Ｂをそれぞれコの字型になるようにそれぞれ接着する。
リンク４と板１４Ｂ、モーター５と板１２Ｂをそれぞれ接着する。
本考案は以上のような構造である。
【実施例】
【０００８】  図１にてモーター５を上方向に４５度回転させてリンク３Ａならびにリンク６Ａを動かす。これにより板８Ｂも動かされ歯車１Ａを軸に歯車１Ｂが回転する。歯車１Ｂが回転することによってリンク３Ｂならびにリンク６Ｂが動かされる。これにより板８Ｄも動かされ歯車１Ｃを軸に歯車１Ｄが回転する。歯車１Ｄが回転することによりリンク４ならびに板１４Ｂも回転し、図３のように各関節が４５度ずつ曲がった状態となる。
【図１】
0003168769.tif 000003
【図２】
0003168769.tif 000004
【図３】
0003168769.tif 000005